(57)【要約】【課題】多段接続された複数の変換器のうちの故障した変換器の出力を短絡した場合に、電圧利用率の低下を抑制できる電力変換装置を提供する。【解決手段】エネルギー蓄積要素の出力を単相交流電力に変換する電圧形変換器を多段接続して１の相回路として、３つの相回路を有する三相電力変換回路１０と、三相電力変換回路１０の各相出力電圧をそれぞれ設定する電圧設定回路２０と、電圧形変換器のいずれかの出力端子が短絡した場合に、三相電力変換回路１０の各相出力電圧のうち他の２つの相出力電圧と大きさの異なる１の相出力電圧に、出力端子が短絡された電圧形変換器の台数に対応した一定電圧を重畳させ、且つ三相電力変換回路１０の各相出力電圧の大きさが同一になるように電圧設定回路２０を制御する制御回路３０とを備える。【選択図】図１
2011250534.tif 000002
【特許請求の範囲】
【請求項１】
エネルギー蓄積要素の出力を単相交流電力に変換する電圧形変換器を多段接続して１の相回路として、３つの前記相回路を有する三相電力変換回路と、
前記三相電力変換回路の各相出力電圧をそれぞれ設定する電圧設定回路と、
前記電圧形変換器のいずれかの出力端子が短絡した場合に、前記三相電力変換回路の各相出力電圧のうち他の２つの相出力電圧と大きさの異なる１の相出力電圧に、前記出力端子が短絡された前記電圧形変換器の台数に対応した一定電圧を重畳させ、且つ前記三相電力変換回路の各相出力電圧の大きさが同一になるように前記電圧設定回路を制御する制御回路と
を備えることを特徴とする電力変換装置。
【請求項２】
前記１の相出力電圧が他の２つの相出力電圧より小さい場合に、前記三相電力変換回路の各相出力電圧を示す各ベクトルの交点が正常動作時の位置から前記１の相出力電圧の方向にシフトするように、前記一定電圧を前記１の相出力電圧に重畳させることを特徴とする請求項１に記載の電力変換装置。
【請求項３】
前記１の相出力電圧が他の２つの相出力電圧より大きい場合に、前記三相電力変換回路の各相出力電圧を示す各ベクトルの交点が正常動作時の位置から前記１の相出力電圧の方向と反対方向にシフトするように、前記一定電圧を前記１の相出力電圧に重畳させることを特徴とする請求項１又は２に記載の電力変換装置。
【発明の詳細な説明】
【技術分野】
【０００１】
本発明の実施形態は、エネルギー蓄積要素を電源に持つ電圧形変換器を多段接続した三相電力変換回路を有する電力変換装置に関する。
【背景技術】
【０００２】
バッテリーなどのエネルギー蓄積要素と電力系統とのインターフェースコンバータとしての電力変換回路が提案されている。例えば、エネルギー蓄積要素を電源に持つ単相インバータを単位変換器として、複数の変換器の出力をカスケード接続したマルチレベル変換器などが提案されている（例えば、特許文献１参照。）
【先行技術文献】
【特許文献】
【０００３】
【特許文献１】特開平１０−７０８８６号公報
【発明の概要】
【発明が解決しようとする課題】
【０００４】
複数の変換器を多段接続して三相電力変換回路を構成した場合、三相の内の１相の電力変換回路で変換器が故障すると、故障した変換器の出力を短絡することによって、残りの変換器のみで電力変換回路の運転を継続できる。この場合、故障した変換器のない他の相の電力変換回路では、動作する変換器の数を減らす必要がある。このため、電圧利用率が低下するという問題があった。
【０００５】
上記問題点に鑑み、本発明は、多段接続された複数の変換器のうちの故障した変換器の出力を短絡した場合に、電圧利用率の低下を抑制できる電力変換装置を提供することを目的とする。
【課題を解決するための手段】
【０００６】
本発明の実施形態によれば、（イ）エネルギー蓄積要素の出力を単相交流電力に変換する電圧形変換器を多段接続して１の相回路として、３つの相回路を有する三相電力変換回路と、（ロ）三相電力変換回路の各相出力電圧をそれぞれ設定する電圧設定回路と、（ハ）電圧形変換器のいずれかの出力端子が短絡した場合に、三相電力変換回路の各相出力電圧のうち他の２つの相出力電圧と大きさの異なる１の相出力電圧に、出力端子が短絡された電圧形変換器の台数に対応した一定電圧を重畳させ、且つ三相電力変換回路の各相出力電圧の大きさが同一になるように電圧設定回路を制御する制御回路とを備える電力変換装置が提供される。
【図面の簡単な説明】
【０００７】
【図１】本発明の実施形態に係る電力変換装置の構成を示す模式図である。
【図２】電力変換装置が正常動作する場合の、各相出力電圧の関係を示すベクトル図である。
【図３】電圧形変換器が故障した場合の、本発明の実施形態に係る電力変換装置の構成例を示す模式図である。
【図４】図３に示した電力変換装置において、本発明の実施形態に係る制御回路による制御を行わない場合の各相出力電圧の関係を示すベクトル図の例である。
【図５】本発明の実施形態に係る電力変換装置によるゼロ相電圧振幅を算出する方法を説明するためのベクトル図である。
【図６】図３に示した電力変換装置において、本発明の実施形態に係る制御回路による制御を行う場合の各相出力電圧の関係を示すベクトル図の例である。
【図７】電圧形変換器が故障した場合の、本発明の実施形態に係る電力変換装置の他の構成を示す模式図である。
【図８】図７に示した電力変換装置において、本発明の実施形態に係る制御回路による制御を行う場合の各相出力電圧の関係を示すベクトル図の例である。
【図９】本発明の実施形態に係る電力変換装置によるゼロ相電圧振幅を算出する方法を説明するためのベクトル図である。
【発明を実施するための形態】
【０００８】
次に、図面を参照して、本発明の実施形態を説明する。以下の図面の記載において、同一又は類似の部分には同一又は類似の符号を付している。ただし、図面は模式的なものであることに留意すべきである。
【０００９】
又、以下に示す実施形態は、この発明の技術的思想を具体化するための装置や方法を例示するものであって、この発明の実施形態は、構成部品の構造、配置等を下記のものに特定するものでない。この発明の実施形態は、特許請求の範囲において、種々の変更を加えることができる。
【００１０】
本発明の実施形態に係る電力変換装置１は、図１に示すように、エネルギー蓄積要素の出力を単相交流電力に変換する電圧形変換器を多段接続して１の相回路として、３つの相回路を有する三相電力変換回路１０と、三相電力変換回路１０の各相出力電圧をそれぞれ設定する電圧設定回路２０と、電圧形変換器のいずれかの出力端子が短絡した場合に、三相電力変換回路１０の各相出力電圧のうち他の２つの相出力電圧と大きさの異なる１の相出力電圧に、出力端子が短絡された電圧形変換器の台数に対応した一定電圧を重畳させ、且つ三相電力変換回路１０の各相出力電圧の大きさが同一になるように電圧設定回路２０を制御する制御回路３０とを備える。以下において、三相電力変換回路１０に故障がない場合の、第１の相回路１１の出力をＲ相出力、第２の相回路１２の出力をＳ相出力、第３の相回路１３の出力をＴ相出力とする。
【００１１】
第１の相回路１１の電圧形変換器１１１〜１１６は、バッテリーＶ１１〜Ｖ１６から出力される直流電圧をそれぞれ単相交流電圧に変換する。第１の相回路１１は、電圧形変換器１１１〜１１６をカスケード接続した多段構造である。正常動作時は、電圧形変換器１１１〜１１６の出力電圧の合計がＲ相の相出力電圧ＶROとして出力される。電圧形変換器１１１には、半導体デバイスを用いたインバータなどを利用可能である。例えば図１に示すように、電圧形変換器１１１は、エミッタ−コレクタ間をダイオード接続したバイポーラ型のトランジスタＴ１〜Ｔ４を有する電圧形変換器である。トランジスタＴ１、Ｔ２の直列接続、及びトランジスタＴ３、Ｔ４の直列接続が、バッテリーＶ１１と並列接続されている。トランジスタＴ１、Ｔ２の接続点、及びトランジスタＴ３、Ｔ４の接続点が電圧形変換器１１１の出力端子である。電圧形変換器１１２〜１１６の構成は、電圧形変換器１１１と同様である。
【００１２】
第１の相回路１１と同様に、第２の相回路１２は、バッテリーＶ２１〜Ｖ２６から出力される直流電圧をそれぞれ単相交流電圧に変換する電圧形変換器１２１〜１２６を、多段接続した構成である。第３の相回路１３は、バッテリーＶ３１〜Ｖ３６から出力される直流電圧をそれぞれ単相交流電圧に変換する電圧形変換器１３１〜１３６を、多段接続した構成である。電圧形変換器１２１〜１２６及び電圧形変換器１３１〜１３６の構成は、電圧形変換器１１１〜１１６と同様である。正常動作時は、電圧形変換器１２１〜１２６の出力電圧の合計がＳ相の相出力電圧ＶS0として出力され、電圧形変換器１３１〜１３６の出力電圧の合計がＴ相の相出力電圧ＶT0として出力される。
【００１３】
図１では、第１、第２及び第３の相回路１１、１２、１３がそれぞれ６台の電圧形変換器をカスケード接続した例を示しているが、第１、第２及び第３の相回路１１、１２、１３がそれぞれ有する電圧形変換器の段数が６段に限られないのはもちろんである。
【００１４】
第１、第２及び第３の相回路１１、１２、１３が正常に動作している場合は、図２に示すように、Ｒ相、Ｓ相、Ｔ相の相出力電圧は電気角で１２０°ずれている。図２は、Ｒ相、Ｓ相、Ｔ相の各相出力電圧の相互の関係を示すベクトル図である。Ｒ相、Ｓ相、Ｔ相の各相出力電圧を示すベクトルの交点は、図２に示す相出力電圧ＶRO、ＶS0、ＶT0により定義される正三角形の中心Ｃと一致する。Ｒ相の相出力電圧ＶROの大きさ、Ｓ相の相出力電圧ＶS0の大きさ、及びＴ相の相出力電圧ＶT0の大きさは、同一である。
【００１５】
以下に、図１に示した電力変換装置１の動作について説明する。ここでは、第１の相回路１１に含まれる電圧形変換器１１１〜１１６のいずれかが故障したと仮定する。故障した電圧形変換器の出力間を電気的に短絡することにより、三相電力変換回路１０は運転を継続できる。例えば電圧形変換器１１６が故障した場合には、図３に示すように、電圧形変換器１１６の出力端子間を短絡する。このとき、制御回路３０による電圧設定回路２０の制御が行われない場合には、電圧形変換器１１１〜１１５のみにより、三相電力変換回路１０からＲ相の電圧が出力される。
【００１６】
ただし、電圧形変換器１１１〜１１５により出力される電圧形変換器を５段分のＲ相の電圧と、電圧形変換器１２１〜１２６により出力される電圧形変換器を６段分のＳ相の電圧、及び電圧形変換器１３１〜１３６により出力される電圧形変換器を６段分のＴ相の電圧とでは、電圧の大きさが同一でなければならない。このため、図４に示すように、Ｓ相の電圧とＴ相の電圧の大きさを小さくして、Ｒ相の電圧の大きさに合わせる必要がある。図４において、電圧形変換器１１１〜１１５のみにより出力されるＲ相の相出力電圧をＶR１で示している。また、電圧形変換器１２１〜１２６により出力されるＳ相の相出力電圧をＶS1、電圧形変換器１３１〜１３６により出力されるＴ相の相出力電圧をＶT1で示している。相出力電圧ＶR1、ＶS1、ＶT1の大きさは同一である。
【００１７】
５段の電圧形変換器によって６段の電圧形変換器の出力電圧を実現するためには、Ｒ相の電圧形変換器１１１〜１１５がＳ相及びＴ相の各電圧形変換器の６／５＝１．２倍の電圧を出力する必要がある。したがって、正常動作時の各電圧形変換器の出力電圧を１とすると、第１の相回路１１の電圧形変換器１１１〜１１６の１つが故障した場合に、Ｓ相及びＴ相の各電圧形変換器は、１／１．２＝０．８３３の出力電圧しか出力できない。
【００１８】
図４において、斜め線のハッチングで示した領域は、Ｒ相の電圧の大きさに合わせてＳ相の電圧とＴ相の電圧の大きさを小さくした場合の、各相の電圧の大きさを示す。一方、縦線のハッチングで示した領域は、Ｓ相の電圧とＴ相の電圧の大きさを正常動作時と同じ大きさにした場合の、各相の電圧の大きさを示す。つまり、Ｓ相の相出力電圧とＴ相の相出力電圧の大きさをＲ相の相出力電圧の大きさに合わせることにより、斜め線のハッチングで示した領域と縦線のハッチングで示した領域との差だけ、電圧利用率が低下する。第２の相回路１２、又は第３の相回路１３の電圧形変換器が１台故障した場合も、同様に、故障のない相回路の各電圧形変換器の出力電圧を小さくする必要がある。
【００１９】
上記のように、三相電力変換回路１０のいずれかの電圧形変換器が故障した場合、単に故障した電圧形変換器の出力端子間を短絡しただけでは、故障した電圧形変換器を含む相回路の正常な電圧形変換器の台数に合わせて、他の相回路の電圧形変換器の出力が制限される。このため、電圧利用率が大きく低下する。
【００２０】
しかし、図１に示した電力変換装置１によれば、以下に説明するように、電圧利用率の低下を抑制できる。
【００２１】
制御回路３０は、第１、第２及び第３の相回路１１、１２、１３がそれぞれ有する電圧形変換器１１１〜１１６、１２１〜１２６、１３１〜１３６のいずれかの出力端子間が、その電圧形変換器が故障したことに起因して短絡されたことを検知する。例えば、制御回路３０は、電圧形変換器１１１〜１１６、１２１〜１２６及び１３１〜１３６の出力端子間の各電圧値をリアルタイムでモニタし、電圧値が０Ｖとなった電圧形変換器の出力端子間が短絡されたと判断する。
【００２２】
第１の相回路１１の電圧形変換器１１６の出力端子間が短絡されると、第２及び第３の相回路１２、１３の出力電圧よりも第１の相回路１１の出力電圧は小さくなる。
【００２３】
制御回路３０は、電圧設定回路２０を制御することにより、故障した電圧形変換器の出力であるＲ相出力に一定の電圧を重畳させて、Ｒ相、Ｓ相、Ｔ相の各相出力電圧を同一の大きさに設定する。具体的には、制御回路３０は、電圧設定回路２０が信号Ｓｖで三相電力変換回路１０に指令する出力電圧を、以下のように設定させる。
【００２４】
三相電力変換回路１０が正常動作時のＲ相、Ｓ相、及びＴ相の相出力電圧ＶR0、ＶS0、ＶT0が、以下の式（１）〜（３）で表されるとする：
ＶR0＝Ａ×ｓｉｎθ              ・・・（１）
ＶS0＝Ａ×ｓｉｎ（θ−１２０°）        ・・・（２）
ＶT0＝Ａ×ｓｉｎ（θ＋１２０°）        ・・・（３）
式（１）〜（３）で、係数Ａは、各相出力電圧の大きさである。第１、第２及び第３の相回路１１、１２、１３がそれぞれ有する電圧形変換器の段数がＮ段であり、各電圧形変換器の直流出力電圧がＶDCであるとき、Ａ＝Ｎ×ＶDCである。
【００２５】
ここで、第１の相回路１１に含まれるＮ台の電圧形変換器のうち、Ｘ台が故障したと仮定する。制御回路３０は、電圧設定回路２０を制御して、出力端子が短絡された電圧形変換器の台数Ｘに対応した一定の電圧をＲ相出力に重畳させるように、三相電力変換回路１０の各相出力電圧を調整する。図５に、Ｒ相出力に一定の電圧を重畳させた場合の各相出力電圧の関係を示すベクトル図を示す。
【００２６】
三相電力変換回路１０の各相出力電圧が調整された結果、図５に示すように、Ｒ相、Ｓ相、Ｔ相の各相出力電圧ＶRN-X、ＶSN、ＶTNを示すベクトルの交点は、正常動作時のＲ相、Ｓ相、Ｔ相の相出力電圧ＶR0、ＶS0、ＶT0により定義される正三角形の中心Ｃから、Ｒ相方向にゼロ相電圧振幅ΔＶ01だけシフトする。以下に、ゼロ相電圧振幅ΔＶ01の算出方法を説明する。
【００２７】
故障した電圧形変換器が出力するＲ相の相出力電圧と、Ｓ相及びＴ相の相出力電圧との電圧位相差α１は、式（４）により算出される：
α１＝ｃｏｓ-1｛（Ｎ−Ｘ｝／２Ｎ｝＋π／３      ・・・（４）
式（４）により算出される電圧位相差α１を用いて、ゼロ相電圧振幅ΔＶ01は以下の式（５）により算出される：
ΔＶ01＝Ｎ｛ｓｉｎ（α１−π／２）−１／３1/2×ｃｏｓ（α１−π／２）｝ＶDC       ・・・（５）
制御回路３０は、第１、第２及び第３の相回路１１、１２、１３が以下の式（６）〜（８）で表される出力電圧Ｖ11、Ｖ12、Ｖ13をそれぞれ出力するように、電圧設定回路２０を制御して三相電力変換回路１０に指令を出させる：
Ｖ11＝Ｂ×ｓｉｎθ＋Ｖ01×ｓｉｎθ              ・・・（６）
Ｖ12＝Ｂ×ｓｉｎ（θ−１２０°）＋Ｖ01×ｓｉｎθ ・・・（７）
Ｖ13＝Ｂ×ｓｉｎ（θ＋１２０°）＋Ｖ01×ｓｉｎθ ・・・（８）
式（６）〜（８）で、係数Ｂは（Ｎ−Ｘ）×ＶDCで表される。
【００２８】
上記のように、第１の相回路１１に含まれる電圧形変換器が故障した場合は、第２及び第３の相回路１２、１３からＲ相の相出力電圧を出力させる。このように第１、第２及び第３の相回路１１、１２、１３の出力電圧が調整された結果、図６に示すように、Ｒ相、Ｓ相、Ｔ相の相出力電圧ＶR2、Ｖ2S、ＶT2をそれぞれ示す各ベクトルの交点Ｐ１は、正常動作時のＲ相、Ｓ相、Ｔ相の相出力電圧ＶR0、ＶS0、ＶT0により定義される正三角形の中心Ｃから、Ｒ相方向にゼロ相電圧振幅ΔＶ01だけシフトする。ゼロ相電圧振幅ΔＶ01は、式（５）に示したように、出力端子が短絡された電圧形変換器の台数に対応した電圧である。なお、相出力電圧ＶR2、Ｖ2S、ＶT2の大きさは同一である。
【００２９】
以上のように、Ｒ相、Ｓ相、Ｔ相の相出力電圧ＶR2、Ｖ2S、ＶT2の大きさを、制御回路３０による各相回路の出力電圧の調整を行わない場合の相出力電圧ＶR1、ＶS1、ＶT1よりも大きくできる。正常動作時の各電圧形変換器の出力電圧を１とすると、第２及び第３の相回路１２、１３の各電圧形変換器の出力電圧は０．９１７である。このとき、Ｒ相とＳ相、及びＴ相とＲ相の相出力電圧は電気角で１２５．４°ずれ、Ｓ相とＴ相の相出力電圧は電気角で１０９．２°ずれる。
【００３０】
以上では、第１の相回路１１、第２の相回路１２、及び第３の相回路１３のいずれか１つにおいて電圧形変換器が故障した場合について説明した。次に、第１の相回路１１、第２の相回路１２、及び第３の相回路１３のうち、２つの相回路において電圧形変換器が故障した場合について説明する。以下では、第２の相回路１２の電圧形変換器１２６、及び第３の相回路１３の電圧形変換器１３６が故障し、図７に示すように、電圧形変換器１２６の出力端子が短絡され、電圧形変換器１３６の出力端子が短絡された場合を例示的に説明する。
【００３１】
このとき、単に故障した電圧形変換器１２６の出力端子間、及び電圧形変換器１３６の出力端子間を短絡しただけでは、５段の電圧形変換器によって出力されるＳ相及びＴ相の電圧の大きさに合わせて、故障した電圧形変換器を含まないＲ相の電圧の大きさを小さくする必要がある。
【００３２】
しかし、制御回路３０が電圧設定回路２０を制御することにより、第２の相回路１２及び第３の相回路１３において電圧形変換器の故障が発生したときに、制御回路３０による第１の相回路１１、第２の相回路１２及び第３の相回路１３の各出力電圧の調整を行わない場合よりも、Ｒ相、Ｓ相、Ｔ相の各相出力電圧を大きくできる。
【００３３】
つまり、制御回路３０は、図８に示すように、故障した電圧形変換器を含まない第１の相回路１１の出力であるＲ相出力に一定の電圧を重畳させて、Ｒ相、Ｓ相、Ｔ相の各相出力電圧を同一の大きさに設定する。図８において、三相電力変換回路１０により出力されるＲ相の相出力電圧をＶR3で示している。また、三相電力変換回路１０により出力されるＳ相の相出力電圧をＶS3で示し、三相電力変換回路１０により出力されるＴ相の相出力電圧をＶT3で示している。相出力電圧ＶR3、ＶS3、ＶT3の大きさは同一である。
【００３４】
図８に示すように、三相電力変換回路１０の各相回路の出力電圧が調整された結果、Ｒ相、Ｓ相、Ｔ相の相出力電圧ＶR3、ＶS3、ＶT3をそれぞれ示す各ベクトルの交点Ｐ２は、正常動作時のＲ相、Ｓ相、Ｔ相の相出力電圧ＶR0、ＶS0、ＶT0により定義される正三角形の中心Ｃから、Ｒ相方向の反対方向にゼロ相電圧振幅ΔＶ02だけシフトする。
【００３５】
具体的には、制御回路３０が電圧設定回路２０を制御して、第１、第２及び第３の相回路１１、１２、１３から、以下の式（９）〜（１１）で表される出力電圧Ｖ11、Ｖ12、Ｖ13を出力させる：
Ｖ11＝Ｂ×ｓｉｎθ＋Ｖ02×ｓｉｎθ              ・・・（９）
Ｖ12＝Ｂ×ｓｉｎ（θ−１２０°）＋Ｖ02×ｓｉｎθ ・・・（１０）
Ｖ13＝Ｂ×ｓｉｎ（θ＋１２０°）＋Ｖ02×ｓｉｎθ ・・・（１１）
式（９）〜（１１）で、係数Ｂは（Ｎ−Ｘ）×ＶDCで表される。
【００３６】
第１、第２及び第３の相回路１１、１２、１３の出力電圧が上記のように調整された結果、図９に示すように、Ｒ相、Ｓ相、Ｔ相の各相出力電圧ＶRN、ＶSN-X、ＶTN-Xを示すベクトルの交点は、正常動作時のＲ相、Ｓ相、Ｔ相の相出力電圧ＶR0、ＶS0、ＶT0により定義される正三角形の中心Ｃから、Ｒ相方向の反対方向にゼロ相電圧振幅ΔＶ02だけシフトする。このため、Ｒ相、Ｓ相、Ｔ相の相出力電圧ＶRN、ＶSN-X、ＶTN-Xの大きさを、制御回路３０による各相回路の出力電圧の調整を行わない場合よりも大きくできる。
【００３７】
故障した電圧形変換器が出力するＳ相及びＴ相の相出力電圧と、Ｒ相の相出力電圧との電圧位相差α２は、式（１２）により算出される：
α２＝ｃｏｓ-1［Ｎ／｛２（Ｎ−Ｘ）｝］＋π／３  ・・・（１２）
式（１２）により算出される電圧位相差α２を用いて、ゼロ相電圧振幅ΔＶ02は以下の式（１３）により算出される：
ΔＶ02＝（Ｎ−Ｘ）｛ｓｉｎ（α２−π／２）−１／３1/2×ｃｏｓ（α２−π／２）｝ＶDC ・・・（１３）
制御回路３０は、電圧設定回路２０を制御して、第１、第２及び第３の相回路１１、１２、１３から、上記の式（９）〜（１１）で表される出力電圧Ｖ11、Ｖ12、Ｖ13をそれぞれ出力させる。
【００３８】
以上に説明したように、本発明の実施形態に係る電力変換装置１では、三相電力変換回路１０に含まれる電圧形変換器１１１〜１１６、１２１〜１２６、１３１〜１３６のいずれかが故障し、故障した電圧形変換器の出力端子間を短絡した場合に、三相電力変換回路１０の各相出力電圧の大きさが同一で、且つ、電圧利用率の低下を抑制するように、制御回路３０が電圧設定回路２０を制御する。具体的には、三相電力変換回路１０の各相出力電圧のうち他の２つの相出力電圧と大きさの異なる１の相出力電圧に、出力端子が短絡された電圧形変換器の台数に応じた電圧が重畳される。これにより、制御回路３０による各相回路の出力電圧の調整を行わない場合よりも、各相の相出力電圧を大きくできる。
【００３９】
したがって、電力変換装置１によれば、多段接続された複数の変換器のうちの故障した変換器の出力を短絡した場合に、電圧利用率の低下を抑制できる電力変換回路を実現することができる。
【００４０】
（その他の実施形態）
上記のように、本発明は実施形態によって記載したが、この開示の一部をなす論述及び図面はこの発明を限定するものであると理解すべきではない。この開示から当業者には様々な代替実施形態、実施例及び運用技術が明らかとなろう。
【００４１】
既に述べた実施形態の説明においては、電圧形変換器１１１〜１１６、１２１〜１２６、１３１〜１３６が電源のエネルギー蓄積要素としてバッテリーＶ１１〜Ｖ１６、Ｖ２１〜Ｖ２６、Ｖ３１〜Ｖ３６を有する例を示した。しかし、エネルギー蓄積要素としてコンデンサを使用してもよい。
【００４２】
このように、本発明はここでは記載していない様々な実施形態等を含むことは勿論である。したがって、本発明の技術的範囲は上記の説明から妥当な特許請求の範囲に係る発明特定事項によってのみ定められるものである。
【符号の説明】
【００４３】
１…電力変換装置
１０…三相電力変換回路
１１…第１の相回路
１２…第２の相回路
１３…第３の相回路
２０…電圧設定回路
３０…制御回路
１１１〜１１６…電圧形変換器
１２１〜１２６…電圧形変換器
１３１〜１３６…電圧形変換器
Ｖ１１〜Ｖ１６…バッテリー
Ｖ２１〜Ｖ２６…バッテリー
Ｖ３１〜Ｖ３６…バッテリー
【図１】
2011250534.tif 000003
【図２】
2011250534.tif 000004
【図３】
2011250534.tif 000005
【図４】
2011250534.tif 000006
【図５】
2011250534.tif 000007
【図６】
2011250534.tif 000008
【図７】
2011250534.tif 000009
【図８】
2011250534.tif 000010
【図９】
2011250534.tif 000011